(57)【要約】【課題】  高い木の枝切り作業を続けながら長竿の手元の操作で自由に切り角度の調節ができる枝切鋏を提供する。【解決手段】  長さ調節可能な長竿１の上端部に設けた枢支部１１の枢支軸に、その軸方向に対して交差方向に枢支される回転管軸１５を有する鋏支持部１４を上下首振り可能に枢支する。  その鋏支持部１４に、回転可能に回転管軸１５に支持された鋏回転柄８と、鋏の支点部位から屈曲形成されその端部にワイヤー止め部９ａを備えた刃開閉柄９とを有する枝切鋏２を装着する。  さらに前記長竿１の下部にはリール４を設け、鋏開閉操作用ワイヤー３を竿の管内を通し、回転管軸１５の管内を経て前記枝切鋏の刃開閉柄９のワイヤー止め部と前記リール４とを繋ぐ。  そして、その長竿１の中間部に、竿の管内から引き出された前記ワイヤー３を挿通させた筒体１８に枝切用ハンドル６が固定されたワイヤー引寄せ手段５を設ける。【選択図】        図１
2005080624.tif 000002
【特許請求の範囲】
【請求項１】
伸縮可能な入子式の金属パイプを接続した長竿と、
該長竿の上端部に設けられ、長竿の長さ方向に対して直交方向の枢支軸を有する枢支部と、
該枢支部の枢支軸に上下首振り可能に枢支され、その枢支軸の方向に対して交差方向に回転管軸を設けた鋏支持部と、
該回転管軸に固定され、鋏の長さ方向を中心に回転可能に鋏支持部に支持された鋏回転柄と、鋏の支点部位から鋏の開閉方向に屈曲形成されその端部にワイヤー止め部を備えた刃開閉柄とを有し、前記鋏回転柄と刃開閉柄との間に設けたバネの附勢で刃が開かれるようにした枝切鋏と、
該長竿の下部に設けられたリールと、
該リールに下端が巻かれ、上端が前記長竿の管内を通るとともに前記回転管軸の管内を経て前記枝切鋏の刃開閉柄のワイヤー止め部に繋がれた鋏開閉操作用ワイヤーと、
該長竿の中間部に設けられ、該長竿に装着されたケース内で竿の管内から引き出された前記ワイヤーをケース外に設けられた枝切用ハンドルの回転で巻き引きと巻き戻しを行えるようにしたワイヤー引寄せ手段とから成り、
前記枝切用ハンドルの操作で高い木の枝が切り落とせるようにしたことを特徴とする高所枝切鋏。
【請求項２】
ワイヤーの操作で回転するように鋏支持部の回転管軸に設けられた管軸回転手段と、
リールに下端が巻かれ、上端が長竿の管内を通り前記管軸回転手段に繋がれた回転操作用ワイヤーと、
該長竿の中間部に設けられ、該長竿に装着されたケース内で竿の管内から引き出された前記ワイヤーをケース外に設けられた鋏回転用ハンドルの回転で巻き引きと巻き戻しができるようにしたワイヤー引寄せ手段とから成る請求項１に記載の高所枝切鋏。
【請求項３】
ワイヤー引寄せ手段が、長竿の管内から引き出されたワイヤーが筒体内に挿通され、該筒体の中間に鋏回転用ハンドルの基部が固定され、そのハンドルの回転により筒体が回されて前記ワイヤーの巻き引きと巻き戻しを行えるようにした請求項１又は２に記載の高所枝切鋏。
【請求項４】
リールの軸に巻バネを装着し、長竿の長さ調節をした時に弛んだワイヤーを該巻バネの力で自動的に巻き着けできるようにした請求項１乃至３のうちいずれか一項に記載の高所枝切鋏。
【請求項５】
枝切鋏を固定した回転管軸の後端部に、電動工具を固定するための工具固定手段を備えた工具固定台を設けるとともにその電動工具のコードを長竿の管内に挿通させて電源に接続できるようにした請求項１乃至４のうちいずれか一項に記載の高所枝切鋏。
【請求項６】
電動工具のコードがリールを介して電源に接続され、
別々に端部がリールのケースと巻付軸に固定された２本の通電性の巻バネと、
両巻バネのケース及び巻付軸の固定部に設けられた各コード中継点と、
該ケースにある両コード中継点に両極に単線分岐して接続された電源コードと、
前記巻付軸にある両コード中継点に両極に単線分岐して接続された送電コードとから成り、送電コードをリールに巻いたときに電源コードが捻じれないようにしたことを特徴とする請求項５に記載の高所枝切鋏。
【発明の詳細な説明】
【技術分野】
【０００１】
本発明は、長竿を用いて高い位置にある樹木の枝を切り落とすための枝切鋏に関する。
【背景技術】
【０００２】
これまで、庭木などの背の高い樹木の枝を切り落とすため、長い竿の先に枝切鋏を装着した高枝切り鋏が提供されている。
しかし、従来の高枝切り鋏は、刃の向きが固定されていて、枝の縦切りはできても、切り取り角度の調節ができなかったために枝の水平切りや斜め切りなど、庭木を望む形に自在に剪定することができなかった。
そこで、本発明者は切り取り角度の調節が可能な剪定器を提案している。（特許文献１参照）
しかし、その剪定器では角度の調節を行う場合、竿を地面に降ろして変えたい角度に鋏を回転させて行わなければならなかった。
特に松などの剪定作業では、一枝一枝葉の形を整えるのに度々角度を変える必要があり、その都度の角度調節作業は大変に面倒なことであった。
【０００３】
また、高いところの枝が５ｃｍ程の太さであるとその枝の切り落としは手動では困難であり、電動工具による強力な鋸切りが必要となる。また、高い場所の密集葉のバリカン刈りも電動工具による作業が欠かせない。
そのような作業は、これまでは電動工具を持って脚立やはしごを登って行っていた。
しかし、脚立やはしごがなければ、そのような作業はしたくてもできなかった。
【特許文献１】特開２００３−１２５６４８
【発明の開示】
【発明が解決しようとする課題】
【０００４】
本発明は、従来のかかる難点を解消するためになされたもので、長竿を下げずにその竿の手元の操作で枝切り作業を続けながら自由に切り角度の調節ができ、且つ鋸切りや枝葉のバリカンなどの電動工具を取り付けることにより、切り角度の調節しつつ高い太い枝などの鋸切りや枝葉のバリカン刈りなども行うことができる用具を提供するものである。
【課題を解決するための手段】
【０００５】
上記課題を解決するために、本発明は、伸縮可能な入子式の金属パイプを接続した長竿の上端部に長竿の長さ方向に対して直交方向の枢支軸を有する枢支部が設けられ、その枢支部の枢支軸に上下首振り可能に枢支され、その枢支軸の方向に対して交差方向に回転管軸を設けた鋏支持部が取り付けられる。
そして、その回転管軸に対して、枝切鋏がその鋏の長さ方向を中心に回転可能に鋏支持部に支持された鋏回転柄により固定される。
またその枝切鋏は、その鋏の支点部位から鋏の開閉方向に屈曲形成されその端部にワイヤー止め部を備えた刃開閉柄とを有し、前記鋏回転柄と刃開閉柄との間に設けたバネの附勢で刃が開かれるようする。
そして、該長竿の下部にリールを設け、そのリールに下端が巻かれ、上端が前記長竿の管内を通るとともに前記回転管軸の管内を経て前記枝切鋏の刃開閉柄のワイヤー止め部に繋がれた鋏開閉操作用ワイヤーを架設する。
さらにその長竿の中間部に、該長竿に装着されたケース内で竿の管内から引き出された前記ワイヤーをケース外に設けられた枝切用ハンドルの回転で巻き引きと巻き戻しを行えるようにしたワイヤー引寄せ手段を設ける。
そして、前記枝切用ハンドルの操作で高い木の枝が切り落とせるようにしたものである。
【０００６】
また、請求項２に記載の発明は上記発明の構成において、前記ワイヤーの操作で回転するように鋏支持部の回転管軸に管軸回転手段を設ける。
そして、前記リールに下端が巻かれ、上端が長竿の管内を通り前記管軸回転手段に繋がれた回転操作用ワイヤーを架設する。
さらに、その長竿に装着されたケース内で竿の管内から引き出された前記ワイヤーをケース外に設けられた鋏回転用ハンドルの回転で巻き引きと巻き戻しができるようにしたワイヤー引寄せ手段を、その長竿の中間部に設けて構成したものである。
【０００７】
さらに、請求項３に記載の発明は上記発明の構成において、前記ワイヤー引寄せ手段を、長竿の管内から引き出されたワイヤーが筒体内に挿通され、該筒体の中間に鋏回転用ハンドルの基部が固定され、そのハンドルの回転により筒体が回されて前記ワイヤーの巻き引きと巻き戻しを行えるようにしたものである。
【０００８】
さらにまた、請求項４に記載の発明は上記発明の構成において、前記リールの軸に巻バネを装着し、長竿の長さ調節をした時に弛んだワイヤーを該巻バネの力で自動的に巻き着けできるように構成したものである。
【０００９】
また、請求項５に記載の発明は上記発明の構成において、枝切鋏を固定した回転管軸の後端部に、電動工具を固定するための工具固定手段を備えた工具固定台を設けるとともにその電動工具のコードを長竿の管内に挿通させて電源に接続できるように構成したものである。
【００１０】
また、請求項６に記載の発明は上記発明の構成において、電動工具のコードがリールを介して電源に接続されるようにする。
そのリールには、別々に端部が前記リールのケースと巻付軸に固定された２本の通電性の巻バネが装着される。
そして、それらの両巻バネのケース及び巻付軸の固定部にコード中継点が設けられる。
その内のケースにある両コード中継点に対しては、両極に単線分岐して電源コードが接続される。
また、前記巻付軸にある両コード中継点に対しては、両極に単線分岐して送電コードが接続される。
そして、送電コードをリールに巻いたときに電源コードが捻じれないようにしたものである。
【発明の効果】
【００１１】
本発明の枝切鋏は上記構成なので、入子式の金属パイプを伸縮させて長竿の長さを調節する際において、金属パイプを短くした時に緩んだワイヤーを巻バネの力で自動的にリールに巻き取って金属パイプ内にそのワイヤーを適度に張った状態にし、金属パイプを長くする時にはワイヤーをリールから送り出して金属パイプがワイヤーに邪魔されずに長く伸ばせるようになる。
そして、そのワイヤーをワイヤー押えネジなどで適度に張った状態にしたまま、リールと刃開閉柄の間に張られたワイヤー長さを一定にしておき、その上で長竿の手元に設けたワイヤー引寄せ手段でワイヤーを巻き引き操作することによりバネの附勢で開かれている鋏の刃を閉じさせることができる。即ちワイヤー引寄せ手段でワイヤーを引くと刃に挟んだ枝が切り落とされることになる。
また、従来の枝切鋏では鋏の角度の調節を行う場合、長い竿を地面に降ろしてその都度変えたい角度に鋏を手動回転させて行わなければならなかったが、本発明では、長い竿を地面に降ろすことなくワイヤー引寄せ手段のハンドルを回転させることで、ワイヤーを巻き引き操作し、そのワイヤーに繋がれた回転管軸を回して枝切鋏の角度を自由に調節しつつ樹の枝の切断が行えるようになった。
【００１２】
また、長竿の上端部に設けた工具固定台には各種電動工具を着脱させることができ、その工具固定台に鋸切りや枝葉のバリカンなどの電動工具を取り付けることによって、これまでできなかった高所にある太い枝の切り落としや、高所にある葉を所望の形に刈り取り形成することが容易にできるようになるとともにワイヤー引寄せ手段で前記回転管軸を回して、長い竿を地面に降ろすことなく電動工具の角度を自由に調節しつつ樹の枝の切断が行えるようになった。
【発明を実施するための最良の形態】
【００１３】
本発明を実施するための最良の形態は以下の通りである。
本発明の枝切鋏は、図１に示すように、枝切鋏２を長竿１の上端部１ａに設け、その長竿１の下部からの操作で、枝切鋏２の刃２ａ、２ｂを開閉させて高い樹の枝を切り落せるようにしたものである。
その長竿１は、入子式に出没させることにより長さ調節可能とする金属パイプ製を用い、高い樹の枝に届く適度の長さに調節して伸縮させ、長さ固定ネジ５０でパイプ全体の長さを固定できるようにする。
この長さの固定は小パイプの入子が入る大パイプの口縁に絞り環（図省略）を設けて、その絞り環のネジ回転で行うこともできる。
長竿１には持ちやすいように、下グリップと４１と上グリップ４２を設けると良い。
【００１４】
そして、長竿１の上端部に設けられた枝切鋏２による枝の切り取は、ワイヤー３の操作で行えるようにする。
そのための構造は、図２に示すように、長竿１の上端部１ａに長さ方向に対して直行方向の枢支軸１３を有する枢支部１１を装着し、その枢支部１１に装着した枢支軸１３に鋏支持部１４を上下首振り可能に枢支させる。
さらに、その鋏支持部１４には、図１２に示すように、前記枢支軸１３の方向に対して交差方向に回転管軸１５を枢支する。
そして、その鋏支持部１４は鋏支持部のケース１７内に収まり、そのケース１７の前面の鋏回転支持面１７ａに回転管軸１５を突出させる。
【００１５】
そして、前記枝切鋏２の鋏回転柄８が、図３に示すように、前記鋏回転支持面１７ａに突出した回転管軸１５部分に鋏回転柄取付片２６を介して鋏支持部１４に対して鋏の長さ方向を中心に回転可能になるように固定する。
その枝切鋏２には、図４に示すように、鋏の支点１０部位から鋏の開閉方向に端部にワイヤー止め部９ａを備えた刃開閉柄９を屈曲形成する。
そして、前記鋏回転柄８と刃開閉柄９との間にバネ７を設けて、そのバネ７の附勢で刃２ａ、２ｂが開かれるようにする。
【００１６】
そして、図１に示すように、長竿１の下部１ｂに鋏開閉操作用ワイヤー３を巻き付けるリール４を設け、そのリール４に巻かれたワイヤー３を長竿１の管内を通すとともに前記回転管軸１５の管内１６を経て前記枝切鋏２の刃開閉柄９のワイヤー止め部９ａに繋ぐ。
【００１７】
そのワイヤー３は枝を切るために、枝切鋏２の刃開閉柄９を引いて刃２ａ、２ｂの開閉を行うためのものであり、図１に示すように、そのワイヤー３を引くためのワイヤー引寄せ手段５を長竿１の中間部１ｃに設ける。
そのワイヤー引寄せ手段５は、長竿１の管内から引き出された前記ワイヤー３を挿通させた筒体１８に枝切用ハンドル６が固定された構造となっていて、そのハンドル６の回転により前記ワイヤー３が引き寄せられる仕組みである。
即ち、ワイヤー３が伸びた状態（図９参照）からワイヤー３の中間が曲げられた状態（図１０参照）となる。このとき、ワイヤー３の下側はリール４又は先端にワイヤー押圧片５７を有するワイヤー押えネジ５６でリール４のすぐ上で固定された状態となっているので、ワイヤー３の上側が引き寄せられる。そしてそのワイヤー３の引寄せで刃開閉柄９が引かれて枝切鋏２の刃が閉じられる（図６の状態から図５の状態になる）。
【００１８】
また、前記リール４は長竿１の長さ調節に合わせてワイヤー３の長さを調節できるようにするためのものである。
例えば前記リール４がなく、ワイヤー３を単に長竿１の下部の固定した場合には、長竿１の長さを短く調節すると、ワイヤー３が弛み、長竿１の長さを長く調節するとワイヤー３が張られてそれ以上長くならなくなる。
そして、そのようにワイヤー３が弛んでいると、前記ワイヤー引寄せ手段５でワイヤー３を引き寄せることは困難となる。
本発明では、前記リール４でワイヤー３を張った状態に維持し、その張った状態でワイヤー３がリール４に備わる繰り出しトッパー（釣具のリールに備わるものと構造が同じなので図省略）やワイヤー押えネジ５６で固定できるようにする。
前記リール４のワイヤー３の巻き取りは、図１４に示すように、鋼板製の巻バネ５３で自動的に巻き取られるようにするものと、リール回転用ハンドル４０を手動的に回して弛みをなくすものと、両者を併用するものとが可能である。
【００１９】
以上のように、本発明では、バネ７の附勢で開かれている枝切鋏２の刃２ａ、２ｂを、ワイヤー引寄せ手段５でワイヤー３を引っ張って閉じさせ、刃２ａ、２ｂ間に挟めた高い樹の枝を切り落とすことが可能となる。
【００２０】
次に、本発明の枝切鋏２の方向と角度を変える構造について説明する。
枝切鋏２の上下方向の首振り角度は、図２に示すように、長竿１の上端部１ａに設けられた長さ方向に対して直行方向の枢支軸１３を有する枢支部１１に、枝切鋏２が固定された鋏支持部１４が枢支され、その枢支軸１３を中心に枝切鋏２が上下に角度を変えられるようにする。
そして、枢支部１１と鋏支持部１４とは、鋏支持部１４の側面に接する枢支部１１の一面に枢支軸１３を中心に設けた角度間隔置きのピン刺替え孔３３ａ、３３ｂ、３３ｃと、そのピン孔の位置に対応する鋏支持部１４の側面に設けたピン孔３５設けられ、ピン孔３５から固定ピン３４が前記ピン刺替え孔３３ａ、３３ｂ、３３ｃのいずれか一つに選択されて刺しこまれて、その角度に固定できるようにする。
【００２１】
枝切鋏２が真上に向いた状態には、固定ピン３４でピン刺替え孔３３ａに刺して固定し（図６に示す）、斜め上に向いた状態には、固定ピン３４をピン刺替え孔３３ｂに差し替えて固定し（図７に示す）、さらに真横に向いた状態には、固定ピン３４をピン刺替え孔３３ｃに差し替えて固定する（図４及び図８に示す）。
これらの図に示すように、この場合は３段に枝切鋏２の方向を変えられるが、ピン刺替え孔をもっと多く設ければ４段以上に細かく変えることもできる。
また、前記ピン刺替え孔を設けず、固定ピンのある位置にその固定ピンに替えて固定ボルトを設け、その固定ボルトにより枢支部１１の側面を締め付けることにより、自由に鋏支持部１４の角度を変えて固定できるようにすることもできる。
【００２２】
また、枝切鋏２の角度を変える仕組みを、次ぎに説明する。
枝切鋏２の角度の変更は、枝切鋏２の鋏回転柄８を鋏の長さ方向を中心に回転させることにより行う。
その構造は、図１２の（イ）、（ロ）及び図１３の（ロ）に示すように、鋏支持部１４に枢支部１１に設けた枢支軸１３の方向に対して交差方向に回転管軸１５を枢支し、枝切鋏２の鋏回転柄８をその回転管軸１５に鋏回転柄取付片２６を介して鋏支持部１４に対して鋏の長さ方向を中心に回転可能に固定する。
そして、鋏支持部１４に設けられた回転管軸１５に両側に突出しワイヤー止め部１８ａ、１８ｂを有する突片１８を固定する。
また、前記リール４に繋がれ、長竿１の中間部１ｃに設けられたワイヤー引寄せ手段２５を介してその長竿１の管内を通過し、さらに鋏支持部１４のワイヤー通し孔４８、４９に通した回転操作用ワイヤー１９、２０の端部を前記突片１２の両ワイヤー止め部１８ａ、１８ｂに夫々取り付ける。
なお、枝切鋏２の刃２ａ、２ｂを開閉させるためのワイヤー３は、図１２の（イ）、（ロ）に示すように、回転管軸１５の中間に設けたワイヤー通し孔５１からワイヤー通し孔５２を通って長竿１の管内に抜けるようにする。
【００２３】
そして、回転操作用ワイヤー１９、２０は、前記ワイヤー引寄せ手段２５で行われ、その仕組みは、図１１に示すように、鋏開閉用のワイヤー３のワイヤー引寄せ手段５と同様に、長竿１の管内からワイヤー引出し孔４５、４６を通り引き出された前記ワイヤー１９、２０を挿通させ、中間に回転用ハンドル２１、２２を固定した筒体２３、２４を、各ハンドルの回転により前記ワイヤー１９、２０を引き寄せできるようにする。
前記ハンドル２１、２２は、図１１に示すように、二重管３７で筒体ケース４３に設けたハンドル軸受け孔４４を貫通させて内部軸と外部管とが夫々筒体２３、２４に固定される。
ワイヤー引寄せ手段５より下のワイヤー１９，２０部分は、途中で合体させてその合体ワイヤー５４の１本で前記リール４へ巻き取れるようにすれば巻き取り部分が嵩張らなくなる。
【００２４】
また、本発明では、図１６に示すように、前部に枝切鋏２を固定した回転管軸１５の後部に電動工具を固定するための工具固定部２８を設ける形態が可能である。
この場合、その工具２８へ接続するコード３１を長竿１の管中を通して、図１４に示すように前記ワイヤーリール４に巻き付けさせることが可能である。
長竿１のワイヤー引出し孔４７からワイヤー出没孔３８、コード出没孔３９を介してリール４へワイヤーとコードが円滑に出し入れできるようにガイドローラー５５を設けると良い。
電動工具はハンディタイプの電動バリカン３０ａ（図２０に示す）や電動ノコギリ３０ｂ（図２１に示す）などが使用できる。
【００２５】
そして、電動バリカン３０ａや電動ノコギリ３０ｂなどの電動工具は工具固定部２８に装着するために工具固定ベルト５８を設け、その工具固定ベルト５８で電動工具を固定する。
前記工具固定部２８は回転管軸１５の後部の固定部５９に工具台固定板２９を介して固着され、枝切鋏２の回転で同時に回転し、工具固定部２８を水平方向（図１８に示す）から、垂直方向（図１７に示す）に回転変換される。
また、その枢支部１１に枢支された鋏支持部１４により上下方向に首振させ、電動工具上向き（図１９に示す）にすることもできる。
【００２６】
さらに、そのリール４を、図１５に示すように、リール軸２７に基端が固定され、末端がリール４のケースに固定された２本の通電性の巻き取りバネ３６ａ、３６ｂを設け、ケースの両固定部に一方の極の電源からのコード３２ａと他方の極のコード３２ｂとを接続するとともに前記リール軸２７の両固定部に工具へ接続される巻き着け一方の極の電源からのコード３１ａと他方の極のコード３１ｂの夫々の極の電源コード３１に接続させる。
そして、コード３１ａをリール４に巻いたときに電源からのコード３２は捻じれないようにすることが可能である。
【産業上の利用可能性】
【００２７】
本発明は、庭木などの樹木の高い位置の枝を切り落とすための枝切り鋏であり、長竿の上端部には電動バリカンや電動ノコギリのほかにも各種電動工具を着脱させることが可能である。
【図面の簡単な説明】
【００２８】
【図１】本発明全体の斜視図である。
【図２】鋏支持部の要部を示す分解斜視図である。
【図３】鋏支持部内の要部を示す斜視図である。
【図４】刃を閉じた状態の枝切鋏の要部の斜視図である。
【図５】刃を開いた状態の枝切鋏の要部の斜視図である。
【図６】枝切鋏を上向きにした状態の枝切鋏の要部の斜視図である。
【図７】枝切鋏を斜め上向きにした状態の枝切鋏の要部の斜視図である。
【図８】枝切鋏を水平向きにした状態の枝切鋏の要部の斜視図である。
【図９】ワイヤー引寄せ手段の要部の縦断斜視図である。
【図１０】図９の形態におけるワイヤーを引いた状態を示すワイヤー引寄せ手段の要部の縦断斜視図である。
【図１１】３本のワイヤーを装着した状態のワイヤー引寄せ手段の要部の縦断斜視図である。
【図１２】（イ）が枝切鋏を水平向きにした状態の、（ロ）が枝切鋏を立てた状態の鋏支持部の要部を示す各水平断面図である。
【図１３】（イ）が枝切鋏を水平向きにした状態の、（ロ）が枝切鋏を上向きにした状態の鋏支持部の要部を示す各水平断面図である。
【図１４】リール部分要部の（イ）が斜視図、（ロ）が（イ）の縦断側面図である。
【図１５】別形態のリール部分要部の（イ）が斜視図、（ロ）が（イ）の縦断側面図である。
【図１６】工具固定部を設けた形態の要部を示す斜視図である。
【図１７】工具固定部を設けた形態の要部を示す縦断側面図である。
【図１８】図１８の形態において、９０度回転させて枝切鋏を水平向きにした状態を示す要部の縦断側面図である。
【図１９】図１８の形態において、枝切鋏を斜め下向きにした状態を示す要部の縦断側面図である。
【図２０】工具固定部に電動バリカンを装着した状態を示す要部の斜視図である。
【図２１】工具固定部に電動ノコギリを装着した状態を示す要部の斜視図である。
【符号の説明】
【００２９】
１    長竿
１ａ  長竿の上端部
１ｂ  長竿の下部
１ｃ  長竿の中間部
２    枝切鋏
２ａ  枝切鋏の刃
２ｂ  枝切鋏の刃
３    枝切り操作用ワイヤー
４    リール
５    ワイヤー引寄せ手段
６    枝切用ハンドル
７    バネ
８    鋏回転柄
９    刃開閉柄
９ａ  ワイヤー止め部
１０    鋏の支点
１１    枢支部
１２    突片
１３    枢支軸
１４    鋏支持部
１５    回転管軸
１６    回転管軸の管内
１７    鋏支持部のケース
１７ａ  ケースの鋏回転支持面
１８ａ  ワイヤー止め部
１８ｂ  ワイヤー止め部
１９    回転操作用ワイヤー
２０    回転操作用ワイヤー
２１    回転用ハンドル
２２    回転用ハンドル
２３    筒体
２４    筒体
２５    ワイヤー引寄せ手段
２６    鋏回転柄取付片
２７    リールの軸
２８    工具固定部
２９    工具台固定板
３０ａ  電動バリカン
３０ｂ  電動ノコギリ
３１    送電コード
３１ａ  一方の極のコード
３１ｂ  他方の極のコード
３２    電源コード
３２ａ  一方の極のコード
３２ｂ  他方の極のコード
３３ａ  ピン刺替え孔
３３ｂ  ピン刺替え孔
３３ｃ  ピン刺替え孔
３４    固定ピン
３５    ピン孔
３６ａ  一方の極のコード接続巻きバネ
３６ｂ  他方の極のコード接続巻きバネ
３７    二重管
３８    ワイヤー出没孔
３９    コード出没孔
４０    リール回転用ハンドル
４１    下グリップ
４２    上グリップ
４３    筒体ケース
４４    ハンドル軸受け孔
４５    ワイヤー引出し孔
４６    ワイヤー引出し孔
４７    ワイヤー引出し孔
４８    ワイヤー通し孔
４９    ワイヤー通し孔
５０    長さ固定ネジ
５１    ワイヤー通し孔
５２    ワイヤー通し孔
５３    巻バネ
５４    合体ワイヤー
５５    ガイドローラー
５６    ワイヤー押えネジ
５７    ワイヤー押圧片
５８    工具固定ベルト
５９    固定部
【図１】
2005080624.tif 000003
【図２】
2005080624.tif 000004
【図３】
2005080624.tif 000005
【図４】
2005080624.tif 000006
【図５】
2005080624.tif 000007
【図６】
2005080624.tif 000008
【図７】
2005080624.tif 000009
【図８】
2005080624.tif 000010
【図９】
2005080624.tif 000011
【図１０】
2005080624.tif 000012
【図１１】
2005080624.tif 000013
【図１２】
2005080624.tif 000014
【図１３】
2005080624.tif 000015
【図１４】
2005080624.tif 000016
【図１５】
2005080624.tif 000017
【図１６】
2005080624.tif 000018
【図１７】
2005080624.tif 000019
【図１８】
2005080624.tif 000020
【図１９】
2005080624.tif 000021
【図２０】
2005080624.tif 000022
【図２１】
2005080624.tif 000023